【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
有機光導電体を用いた像担持体に対し、静電潜像を形成させる静電潜像形成工程と、像担持体に形成された静電潜像に、トナーを転移させて該潜像に対応したトナー像を形成し顕像化させる現像工程と、像担持体上に形成されたトナー像を転写材に静電転写させる転写工程と、静電転写されたトナー像を定着部材によって定着させる定着工程とを有し、前記現像工程で、黒色現像を行うための磁性トナーからなる一成分系現像剤とカラー現像を行うための磁性キャリア、非磁性トナーからなる二成分系現像剤とを用いることによりカラー画像を形成する現像を行うことができる、画像形成方法であって、前記非磁性のカラートナーは、少なくとも結着樹脂、着色剤及びワックスを有し、粘弾性特性において、温度８０℃における貯蔵弾性率（Ｇ'80）が１×１０6〜１×１０10［ｄＮ／ｍ2］の範囲にあり、温度１２０〜１８０℃における貯蔵弾性率（Ｇ'120-180）が５×１０3〜１×１０6［ｄＮ／ｍ2］の範囲を満足しており、示差走査熱量分析（ＤＳＣ）測定における吸熱曲線において、温度３０〜２００℃の範囲における最大吸熱ピークのピーク温度が５０〜１１０℃の範囲にあるカラートナーであることを特徴とする画像形成方法。
【請求項２】
前記カラートナーは、粘弾性特性において、温度８０℃における貯蔵弾性率（Ｇ'80）が１×１０6〜１×１０8［ｄＮ／ｍ2］の範囲にあり、温度１２０〜１８０℃における貯蔵弾性率（Ｇ'120-180）が１×１０4〜５×１０5［ｄＮ／ｍ2］の範囲を満足することを特徴とする請求項１に記載の画像形成方法。
【請求項３】 
前記カラートナーは、示差走査熱量分析（ＤＳＣ）測定における吸熱曲線において、温度３０〜２００℃の範囲における最大吸熱ピークのピーク温度が５５〜１００℃の範囲にあることを特徴とする請求項１又は２に記載の画像形成方法。
【請求項４】 
前記カラートナーは、示差走査熱量分析（ＤＳＣ）測定における吸熱曲線において、温度３０〜２００℃の範囲における最大吸熱ピークのピーク温度が６０〜９０℃の範囲にあることを特徴とする請求項１又は２に記載の画像形成方法。
【請求項５】 
前記結着樹脂が、ポリエステルユニットとビニル系共重合体ユニットを有しているハイブリッド樹脂又はポリエステル樹脂とビニル系共重合体との混合物のいずれかであること
を特徴とする請求項1〜４のいずれか１項に記載の画像形成方法。
【請求項６】 
前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が300以上であることを特徴とする請求項１〜５のいずれか１項に記載の画像形成方法。
【請求項７】 
前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が500以上であることを特徴とする請求項１〜５のいずれか１項に記載の画像形成方法。
【請求項８】 
前記カラートナーは、有機金属化合物を有することを特徴とする請求項１〜７のいずれか１項に記載の画像形成方法。
【請求項９】 
前記有機金属化合物が芳香族カルボン酸誘導体の金属化合物であることを特徴とする請求項８に記載の画像形成方法。
【請求項１０】 
前記芳香族カルボン酸誘導体の金属化合物が、芳香族カルボン酸誘導体のアルミニウム化合物であることを特徴とする請求項９に記載の画像形成方法。
【請求項１１】 
前記有機金属化合物は、該カラートナー中にカラートナーの質量を基準として０．１〜１０質量％含有されている請求項８〜１０のいずれか１項に記載の画像形成方法。
【請求項１２】 
該黒色現像を行うための磁性トナー中には少なくとも磁性酸化鉄を含有し、該磁性酸化鉄は、Si元素もしくはAl元素を０.３〜１.４％含有することを特徴とする請求項１〜１１のいずれか１項に記載の画像形成方法。
【請求項１３】 
該黒色現像を行うための磁性トナー中には少なくとも磁性酸化鉄を含有し、該磁性酸化鉄は、該磁性酸化鉄の鉄元素溶解率が２０重量％までに存在するケイ素元素の含有量ＢSiと該磁性酸化鉄中に存在する全ケイ素元素の含有量ＡSiとの比（ＢSi／ＡSi）×１００が３５〜８５％であることを特徴とする請求項１〜１２のいずれか１項に記載の画像形成方法。
【請求項１４】 
有機光導電体を用いた像担持体に静電潜像を形成させる静電潜像形成手段と、像担持体に形成された静電潜像に、トナーを転移させて該潜像に対応したトナー像を形成し顕像化させる現像手段と、像担持体上に形成されたトナー像を転写材に静電転写させる転写手段とを有し、前記現像手段で、黒色現像を行うための磁性トナーからなる一成分系現像剤とカラー現像を行うための磁性キャリア、非磁性トナーからなる二成分系現像剤とを用いることによりカラー画像を形成する現像を行うことができる、画像形成装置であって、前記非磁性のカラートナーは、少なくとも結着樹脂、着色剤及びワックスを有し、粘弾性特性において、温度８０℃における貯蔵弾性率（Ｇ'80）が１×１０6〜１×１０10［ｄＮ／ｍ2］の範囲にあり、温度１２０〜１８０℃における貯蔵弾性率（Ｇ'120-180）が５×１０3〜１×１０6［ｄＮ／ｍ2］の範囲を満足しており、示差走査熱量分析（ＤＳＣ）測定における吸熱曲線において、温度３０〜２００℃の範囲における最大吸熱ピークのピーク温度が５０〜１１０℃の範囲にあるカラートナーであることを特徴とする画像形成装置。
【請求項１５】 
前記カラートナーは、粘弾性特性において、温度８０℃における貯蔵弾性率（Ｇ'80）が１×１０6〜１×１０8［ｄＮ／ｍ2］の範囲にあり、温度１２０〜１８０℃における貯蔵弾性率（Ｇ'120-180）が１×１０4〜５×１０5［ｄＮ／ｍ2］の範囲を満足することを
特徴とする請求項１４に記載の画像形成装置。
【請求項１６】 
前記カラートナーは、示差走査熱量分析（ＤＳＣ）測定における吸熱曲線において、温度３０〜２００℃の範囲における最大吸熱ピークのピーク温度が５５〜１００℃の範囲にあることを特徴とする請求項１４又は１５に記載の画像形成装置。
【請求項１７】 
前記カラートナーは、示差走査熱量分析（ＤＳＣ）測定における吸熱曲線において、温度３０〜２００℃の範囲における最大吸熱ピークのピーク温度が６０〜９０℃の範囲にあることを特徴とする請求項１４又は１５に記載の画像形成装置。
【請求項１８】 
前記結着樹脂が、ポリエステルユニットとビニル系共重合体ユニットを有しているハイブリッド樹脂又はポリエステル樹脂とビニル系共重合体との混合物のいずれかであることを特徴とする請求項１４〜１７のいずれか１項に記載の画像形成装置。
【請求項１９】 
前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が300以上であることを特徴とする請求項１４〜１８のいずれか１項に記載の画像形成装置。
【請求項２０】 
前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が500以上であることを特徴とする請求項１４〜１８のいずれか１項に記載の画像形成装置。
【請求項２１】 
前記カラートナーは、有機金属化合物を有することを特徴とする請求項１４〜２０のいずれか１項に記載の画像形成装置。
【請求項２２】 
前記有機金属化合物が芳香族カルボン酸誘導体の金属化合物であることを特徴とする請求項２１に記載の画像形成装置。
【請求項２３】 
前記芳香族カルボン酸誘導体の金属化合物が、芳香族カルボン酸誘導体のアルミニウム化合物であることを特徴とする請求項２２に記載の画像形成装置。
【請求項２４】 
前記有機金属化合物は、該カラートナー中にカラートナーの質量を基準として０．１〜１０質量％含有されている請求項２１〜２３のいずれか１項に記載の画像形成装置。
【請求項２５】 
該黒色現像を行うための磁性トナー中には少なくとも磁性酸化鉄を含有し、該磁性酸化鉄は、Si元素もしくはAl元素を０.３〜１.４％含有することを特徴とする請求項１４〜２４のいずれか１項に記載の画像形成装置。
【請求項２６】 該黒色現像を行うための磁性トナー中には少なくとも磁性酸化鉄を含有し、該磁性酸化鉄は、該磁性酸化鉄の鉄元素溶解率が２０重量％までに存在するケイ素元素の含有量ＢSiと該磁性酸化鉄中に存在する全ケイ素元素の含有量ＡSiとの比（ＢSi／ＡSi）×１００が３５〜８５％であることを特徴とする請求項１４〜２５のいずれか１項に記載の画像形成装置。
【手続補正２】
【補正対象書類名】明細書
【補正対象項目名】０００９
【補正方法】変更
【補正の内容】
【０００９】
【課題を解決するための手段】
そこで、本発明者らは鋭意検討を重ねた結果、以下のカラートナーを使用することにより、前述の課題を解決することができることを見出し、本発明を完成するに至った。
（１）有機光導電体を用いた像担持体に対し、静電潜像を形成させる静電潜像形成工程と、像担持体に形成された静電潜像に、トナーを転移させて該潜像に対応したトナー像を形成し顕像化させる現像工程と、像担持体上に形成されたトナー像を転写材に静電転写させる転写工程と、静電転写されたトナー像を定着部材によって定着させる定着工程とを有し、前記現像工程で、黒色現像を行うための磁性トナーからなる一成分系現像剤とカラー現像を行うための磁性キャリア、非磁性トナーからなる二成分系現像剤とを用いることによりカラー画像を形成する現像を行うことができる、画像形成方法であって、前記非磁性のカラートナーは、少なくとも結着樹脂、着色剤及びワックスを有し、粘弾性特性において、温度８０℃における貯蔵弾性率（Ｇ'80）が１×１０6〜１×１０10［ｄＮ／ｍ2］の範囲にあり、温度１２０〜１８０℃における貯蔵弾性率（Ｇ'120-180）が５×１０3〜１×１０6［ｄＮ／ｍ2］の範囲を満足しており、示差走査熱量分析（ＤＳＣ）測定における吸熱曲線において、温度３０〜２００℃の範囲における最大吸熱ピークのピーク温度が５０〜１１０℃の範囲にあるカラートナーであることを特徴とする画像形成方法。
（２）前記カラートナーは、粘弾性特性において、温度８０℃における貯蔵弾性率（Ｇ'80）が１×１０6〜１×１０8［ｄＮ／ｍ2］の範囲にあり、温度１２０〜１８０℃における貯蔵弾性率（Ｇ'120-180）が１×１０4〜５×１０5［ｄＮ／ｍ2］の範囲を満足することを特徴とする（１）に記載の画像形成方法。
（３）前記カラートナーは、示差走査熱量分析（ＤＳＣ）測定における吸熱曲線において、温度３０〜２００℃の範囲における最大吸熱ピークのピーク温度が５５〜１００℃の範囲にあることを特徴とする（１）又は（２）に記載の画像形成方法。
（４）前記カラートナーは、示差走査熱量分析（ＤＳＣ）測定における吸熱曲線において、温度３０〜２００℃の範囲における最大吸熱ピークのピーク温度が６０〜９０℃の範囲にあることを特徴とする（１）又は（２）に記載の画像形成方法。
（５）前記結着樹脂が、ポリエステルユニットとビニル系共重合体ユニットを有しているハイブリッド樹脂又はポリエステル樹脂とビニル系共重合体との混合物のいずれかであることを特徴とする（１）〜（４）のいずれかに記載の画像形成方法。
（６）前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が300以上であることを特徴とする（１）〜（５）のいずれかに記載の画像形成方法。
（７）前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が500以上であることを特徴とする（１）〜（５）のいずれかに記載の画像形成方法。
（８）前記カラートナーは、有機金属化合物を有することを特徴とする（１）〜（７）のいずれかに記載の画像形成方法。
（９）前記有機金属化合物が芳香族カルボン酸誘導体の金属化合物であることを特徴とする（８）に記載の画像形成方法。
（１０）前記芳香族カルボン酸誘導体の金属化合物が、芳香族カルボン酸誘導体のアルミニウム化合物であることを特徴とする（９）に記載の画像形成方法。
（１１）前記有機金属化合物は、該カラートナー中にカラートナーの質量を基準として０．１〜１０質量％含有されている（８）〜（１０）のいずれかに記載の画像形成方法。
（１２）該黒色現像を行うための磁性トナー中には少なくとも磁性酸化鉄を含有し、該磁性酸化鉄は、Si元素もしくはAl元素を０.３〜１.４％含有することを特徴とする（１）〜（１１）のいずれかに記載の画像形成方法。
（１３）該黒色現像を行うための磁性トナー中には少なくとも磁性酸化鉄を含有し、該磁性酸化鉄は、該磁性酸化鉄の鉄元素溶解率が２０重量％までに存在するケイ素元素の含有
量ＢSiと該磁性酸化鉄中に存在する全ケイ素元素の含有量ＡSiとの比（ＢSi／ＡSi）×１００が３５〜８５％であることを特徴とする（１）〜（１２）のいずれかに記載の画像形成方法。
（１４）有機光導電体を用いた像担持体に静電潜像を形成させる静電潜像形成手段と、像担持体に形成された静電潜像に、トナーを転移させて該潜像に対応したトナー像を形成し顕像化させる現像手段と、像担持体上に形成されたトナー像を転写材に静電転写させる転写手段とを有し、前記現像手段で、黒色現像を行うための磁性トナーからなる一成分系現像剤とカラー現像を行うための磁性キャリア、非磁性トナーからなる二成分系現像剤とを用いることによりカラー画像を形成する現像を行うことができる、画像形成装置であって、前記非磁性のカラートナーは、少なくとも結着樹脂、着色剤及びワックスを有し、粘弾性特性において、温度８０℃における貯蔵弾性率（Ｇ'80）が１×１０6〜１×１０10［ｄＮ／ｍ2］の範囲にあり、温度１２０〜１８０℃における貯蔵弾性率（Ｇ'120-180）が５×１０3〜１×１０6［ｄＮ／ｍ2］の範囲を満足しており、示差走査熱量分析（ＤＳＣ）測定における吸熱曲線において、温度３０〜２００℃の範囲における最大吸熱ピークのピーク温度が５０〜１１０℃の範囲にあるカラートナーであることを特徴とする画像形成装置。
（１５）前記カラートナーは、粘弾性特性において、温度８０℃における貯蔵弾性率（Ｇ'80）が１×１０6〜１×１０8［ｄＮ／ｍ2］の範囲にあり、温度１２０〜１８０℃における貯蔵弾性率（Ｇ'120-180）が１×１０4〜５×１０5［ｄＮ／ｍ2］の範囲を満足することを特徴とする（１４）に記載の画像形成装置。
（１６）前記カラートナーは、示差走査熱量分析（ＤＳＣ）測定における吸熱曲線において、温度３０〜２００℃の範囲における最大吸熱ピークのピーク温度が５５〜１００℃の範囲にあることを特徴とする（１４）又は（１５）に記載の画像形成装置。
（１７）前記カラートナーは、示差走査熱量分析（ＤＳＣ）測定における吸熱曲線において、温度３０〜２００℃の範囲における最大吸熱ピークのピーク温度が６０〜９０℃の範囲にあることを特徴とする（１４）又は（１５）に記載の画像形成装置。
（１８）前記結着樹脂が、ポリエステルユニットとビニル系共重合体ユニットを有しているハイブリッド樹脂又はポリエステル樹脂とビニル系共重合体との混合物のいずれかであることを特徴とする（１４）〜（１７）のいずれかに記載の画像形成装置。
（１９）前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が300以上であることを特徴とする（１４）〜（１８）のいずれかに記載の画像形成装置。
（２０）前記結着樹脂は、ゲルパーミエーションクロマトグラフィー（ＧＰＣ）による分子量分布において、分子量6000〜8000の領域にメインピークが存在し、重量平均分子量（Ｍｗ）と数平均分子量（Ｍｎ）との比（Ｍｗ／Ｍｎ）が500以上であることを特徴とする（１４）〜（１８）のいずれかに記載の画像形成装置。
（２１）前記カラートナーは、有機金属化合物を有することを特徴とする（１４）〜（２０）のいずれかに記載の画像形成装置。
（２２）前記有機金属化合物が芳香族カルボン酸誘導体の金属化合物であることを特徴とする（２１）に記載の画像形成装置。
（２３）前記芳香族カルボン酸誘導体の金属化合物が、芳香族カルボン酸誘導体のアルミニウム化合物であることを特徴とする（２２）に記載の画像形成装置。
（２４）前記有機金属化合物は、該カラートナー中にカラートナーの質量を基準として０．１〜１０質量％含有されている（２１）〜（２３）のいずれかに記載の画像形成装置。（２５）該黒色現像を行うための磁性トナー中には少なくとも磁性酸化鉄を含有し、該磁性酸化鉄は、Si元素もしくはAl元素を０.３〜１.４％含有することを特徴とする（１４）〜（２４）のいずれかに記載の画像形成装置。
（２６）該黒色現像を行うための磁性トナー中には少なくとも磁性酸化鉄を含有し、該磁性酸化鉄は、該磁性酸化鉄の鉄元素溶解率が２０重量％までに存在するケイ素元素の含有
量ＢSiと該磁性酸化鉄中に存在する全ケイ素元素の含有量ＡSiとの比（ＢSi／ＡSi）×１００が３５〜８５％であることを特徴とする（１４）〜（２５）のいずれかに記載の画像形成装置。
【手続補正３】
【補正対象書類名】明細書
【補正対象項目名】００２１
【補正方法】変更
【補正の内容】
【００２１】
＜本発明カラートナーについて＞
本発明カラートナーは、少なくとも結着樹脂、着色剤及びワックスを有し、粘弾性特性において、温度８０℃における貯蔵弾性率（Ｇ'80）が１×１０6〜１×１０10［ｄＮ／ｍ2］の範囲にあり、温度１２０〜１８０℃における貯蔵弾性率（Ｇ'120-180）が５×１０3〜１×１０6［ｄＮ／ｍ2］の範囲を満足しており、示差走査熱量分析（ＤＳＣ）測定における吸熱曲線において、温度３０〜２００℃の範囲における最大吸熱ピークのピーク温度が５０〜１１０℃の範囲にあるカラートナーである。
【手続補正４】
【補正対象書類名】明細書
【補正対象項目名】００２２
【補正方法】変更
【補正の内容】
【００２２】
本発明において、粘弾性の測定及び示差走査熱量分析の測定は、以下のようにして行った。なお、後述の実施例においても同様に測定した。
【手続補正５】
【補正対象書類名】明細書
【補正対象項目名】００２３
【補正方法】変更
【補正の内容】
【００２３】
（１）トナーの粘弾性の測定
トナーを直径25ｍｍ，厚さ約2〜3ｍｍの円板状の試料に加圧成形する。次にパラレルプレートにセットし，50〜200℃の温度範囲内で徐々に昇温させ，温度分散測定を行う。昇温速度は2℃/minとし，角周波数（ω）は6.28rad/secに固定し，歪率は自動とする。  横軸に温度，縦軸に貯蔵弾性率（G’）を取り，各温度における値を読み取る。測定にあたっては，ＲＤＡ‐II（レオメトリックス社製）を用いる。
【手続補正６】
【補正対象書類名】明細書
【補正対象項目名】００２４
【補正方法】変更
【補正の内容】
【００２４】
（２）示差走査熱量分析測定
示差走査熱量計（ＤＳＣ測定装置），ＤＳＣ−７（パーキンエルマー社製）を用いてＡＳＴＭ Ｄ３４１８−８２に準じて測定する。測定試料は２〜１０ｍｇ、好ましくは５ｍｇを精密に秤量する。これをアルミパン中に入れ、リファレンスとして空のアルミパンを用い、測定温度範囲３０〜２００℃の間で、昇温速度１０℃／ｍｉｎで常温常湿下で測定を行う。この昇温過程、降温過程で、温度３０〜２００℃の範囲におけるＤＳＣ曲線のメインピークの吸熱、発熱ピークが得られる。
【手続補正７】
【補正対象書類名】明細書
【補正対象項目名】００２９
【補正方法】変更
【補正の内容】
【００２９】
次に、非磁性のカラートナーの示差走査熱量分析（ＤＳＣ）測定における吸熱曲線において、温度３０〜２００℃の範囲における最大吸熱ピークのピーク温度は50〜110℃の範囲であることが好ましい。また、より好ましくは55〜100℃の範囲であり、さらに好ましくは６０〜９０℃の範囲である。上記の吸熱ピークの値は、ワックスの種類等適宜考慮することにより調整することができる。これにより、低温定着性と耐ブロッキング性、ＯＰＣ感光体表面へのフィルミング防止という観点で良好な結果を示す。
【手続補正８】
【補正対象書類名】明細書
【補正対象項目名】００３６
【補正方法】変更
【補正の内容】
【００３６】
（３）ＧＰＣ測定による分子量分布の測定
４０℃のヒートチャンバー中でカラムを安定化させ、この温度におけるカラムに溶媒としてテトラヒドロフラン（ＴＨＦ）を毎分１ｍｌの流速で流し、試料濃度として０．０５〜０．６質量％に調整した樹脂のＴＨＦ試料溶液を約５０〜２００μｌ注入して測定する。試料の分子量測定にあたっては、試料の有する分子量分布を数種の単分散ポリスチレン標準試料により作成された検量線の対数値とカウント数（リテンションタイム）との関係から算出する。検量線作成用の標準ポリスチレン試料としては、例えば東ソー社製或いはＰｒｅｓｓｕｒｅ  Ｃｈｅｍｉｃａｌ  Ｃｏ．製の分子量が６×１０2、２．１×１０3、４×１０3、１．７５×１０4、５．１×１０4、１．１×１０5、３．９×１０5、８．６×１０5、２×１０6、４．４８×１０6のものを用い、少なくとも１０点程度の標準ポリスチレン試料を用いるのが適当である。検出器にはＲＩ（屈折率）検出器を用いる。カラムとしては、１０3〜２×１０6の分子量領域を的確に測定するために、市販のポリスチレンジェルカラムを複数本組み合わせるのが良く、例えば昭和電工社製のｓｈｏｄｅｘ  ＧＰＣ  ＫＦ−８０１，８０２，８０３，８０４，８０５，８０６，８０７の組み合わせや、Ｗａｔｅｒｓ社製のμ−ｓｔｙｒａｇｅｌ５００、１０3、１０4、１０5の組み合わせを挙げることができる。
【手続補正９】
【補正対象書類名】明細書
【補正対象項目名】００９７
【補正方法】変更
【補正の内容】
【００９７】
（４）金属元素に関する測定
本発明において、磁性酸化鉄中の鉄以外の金属元素の含有率（鉄元素を基準とする）および鉄元素の溶解率及び鉄元素溶解率に対する鉄以外の金属元素の含有量は、次のような方法によって求めることができる。
【手続補正１０】
【補正対象書類名】明細書
【補正対象項目名】０１０４
【補正方法】変更
【補正の内容】
【０１０４】
（５）磁性酸化鉄の個数平均粒径の測定
透過電子顕微鏡写真（倍率３００００倍）より写真上の粒子を無作為に１００個選び、その粒子径を計測し、その平均値をもって、個数平均粒径とした。
【手続補正１１】
【補正対象書類名】明細書
【補正対象項目名】０１０８
【補正方法】変更
【補正の内容】
【０１０８】
上述のＢＥＴ法の測定は、次のようにして行った。
（６）ＢＥＴ比表面積は、湯浅アイオニクス（株）製、全自動ガス吸着量測定装置：オートソーブ１を使用し、吸着ガスに窒素ガスを用い、ＢＥＴ多点法により求める。なお、サンプルの前処理として、温度５０℃で１０時間の脱気を行う。